(57)【要約】【課題】音響を重視する部屋において、音響特性の改善を図ることが可能な音質改善部材およびオーディオルームを提供すること。【解決手段】二方向または三方向が構造体１０を構成する構造面１１，１２，１３で囲まれる境界部分１４，１５に設置され、これらの構造面１１，１２，１３に接触する位置決め部２０１，３０１を具備すると共に、位置決め部２０１，３０１が構造面１１，１２，１３に接触して位置決めが為されている状態で、二方向または三方向の構造面１１，１２，１３に対して、傾斜する部分が存在する傾斜面２１，３１を有し、この傾斜面２１，３１での音の反射または吸収により、構造体１０の内部における音響が改善される効果を奏する。【選択図】図１
2007286387.tif 000002
【特許請求の範囲】
【請求項１】
二方向または三方向が構造体を構成する構造面で囲まれる境界部分に設置され、これらの構造面に接触する位置決め部を具備すると共に、
上記位置決め部が上記構造面に接触して位置決めが為されている状態で、上記二方向または三方向から囲む構造面に対して、傾斜する部分が存在する傾斜面を有し、この傾斜面での音の反射または吸収により、上記構造体の内部における音響が改善される、
ことを特徴とする音響改善部材。
【請求項２】
前記位置決め部は、前記三方向における位置決めを行うものであり、該位置決め部は、前記構造体に面接触する接触面であり、これら三方向の接触面は立方体を構成すると共に、前記傾斜面は、この立方体のうち前記境界部分の交差点に位置する頂点の対角位置に位置する頂点を中心として、該立方体の一部を切り欠いた形状に形成されている、
ことを特徴とする請求項１記載の音響改善部材。
【請求項３】
前記傾斜面は、前記対角位置に位置する頂点を中心として、球面状に切り欠いた形状に形成されていることを特徴とする請求項２記載の音響改善部材。
【請求項４】
前記傾斜面は、前記対角位置に位置する頂点を中心として、平面状に切り欠いた形状に形成されていることを特徴とする請求項２記載の音響改善部材。
【請求項５】
前記位置決め部は、前記二方向における位置決めを行うものであり、該位置決め部は、前記構造体に面接触する接触面であり、これら二方向の接触面は直方体を構成すると共に、前記傾斜面は、この直方体のうち前記境界部分の交差線に位置する側辺の対角位置に位置する側辺を中心として、該直方体の一部を切り欠いた形状に形成されている、
ことを特徴とする請求項１記載の音響改善部材。
【請求項６】
前記傾斜面は、前記対角位置に位置する側辺を中心線として、円筒面状に切り欠いた形状に形成されていることを特徴とする請求項５記載の音響改善部材。
【請求項７】
前記傾斜面は、平面状に切り欠いた形状に形成されていることを特徴とする請求項５記載の音響改善部材。
【請求項８】
圧縮可能な弾性部材によって形成されていると共に、圧縮時には前記接触面が前記構造面に対して圧力を及ぼし、この圧力が及ぼされている場合の弾性反発力により、前記境界部分に係止される、
ことを特徴とする請求項１から７のいずれか１項に音響改善部材。
【請求項９】
前記弾性部材は、気泡を多数有する発泡樹脂から形成されていることを特徴とする請求項８記載の音響改善部材。
【請求項１０】
音の反射率が異なる一方の材質と他方の材質とによって形成されていると共に、前記傾斜面は、上記一方の材質または上記他方の材質のいずれかによって覆われていることを特徴とする請求項１から９のいずれか１項に記載の音響改善部材。
【請求項１１】
前記傾斜面には、植毛が為されていることを特徴とする請求項１から１０のいずれか１項に記載の音響改善部材。
【請求項１２】
請求項１から１０のいずれか１項に記載の音響改善部材が、前記境界部分に配置されていることを特徴とする、前記構造体としてのオーディオルーム。
【発明の詳細な説明】
【技術分野】
【０００１】
本発明は、音響改善部材およびオーディオルームに関する。
【背景技術】
【０００２】
近年、オーディオ装置のスピーカから再生される音楽を楽しむため、或いはオーディオビジュアル装置のスピーカから再生される映像および音を楽しむために、ホームシアタールーム、またはホームオーディオルーム等のような部屋（以下、オーディオルームとする。）を設けるユーザが多く存在する。
【０００３】
かかるオーディオルームにおいては、ユーザは、高音質の音を聴取できることを望んでいる。ところで、スピーカが設置されるオーディオルームにおいては、床や壁等から反射音や定在波が発生する。そして、これら反射音や定在波が強すぎると、スピーカから発生する音に対して、悪影響を及ぼすことが知られている。
【０００４】
従って、このような反射音や定在波等が強すぎる場合、それに対応するために、現状の一般的な対策としては、オーディオルームを構成する壁の所望の位置に、反射板を設置したり、吸音板を設置している。そして、これら反射板、吸音板等により、オーディオルームの音響効果に悪影響を及している、定在波を除去したり、当該定在波を適宜に減衰したり、反射させている。
【０００５】
なお、かかる吸音材の設置に関する先行技術としては、特許文献１〜３に開示されているものがある。この特許文献１〜３には、壁の所定の部位に、音響キャビネットを設置している構成が開示されている。
【０００６】
【特許文献１】特開平５−１４８９１９（各図面参照）
【特許文献２】特開平５−１３４６８０（各図面参照）
【特許文献３】特開平５−１３４６８１（各図面参照）
【発明の開示】
【発明が解決しようとする課題】
【０００７】
上述したように、オーディオルームのある位置に設置されているスピーカから発生する音が、オーディオルームを構成する壁や床、天井等の境界部分（特に、コーナ部分）に到達し、その境界部分に残留し、その境界部分が反射音や定在波の発生源となることは周知のところである。この場合、境界部分においては、複雑な反射音が構成され、人に不快感を与える音、いわゆる濁った音が形成され易い。また、かかる境界部分は、スピーカから発生する本来の音に対して、悪影響を及ぼす箇所であることも、周知となっている。
【０００８】
ここで、特許文献１〜３に開示されている手法では、壁の所定の部位に、音響キャビネットを設置して、音響特性の改善を図ろう、としている。しかしながら、これら特許文献１〜３に開示されている構成は、オーディオルームの境界部分における定在波を、十分に考慮して設置されてはいない。そのため、オーディオルームの境界部分においては、定在波の発生が、十分には解消されていない。
【０００９】
また、上述の特許文献１〜３に開示されている手法以外の、境界部分における音響の対策としては、所望の寸法に裁断した反射板等を境界部分に立てかけたり、吸音材を所望の寸法に裁断して貼り付けたり、吸音材を筒状に丸めて立てかける等の手法がある。しかしながら、これらのうち、吸音材を貼り付けた構成は、特許文献１〜３に開示されている手法と類似しており、境界部分における定在波を解消するには不十分である。また、裁断した反射板を境界部分に立てかけたり、吸音材を筒状に丸めて立てかける場合には、当該反射板や吸音材が不安定な設置状態となると共に、境界部分から発生する定在波を解消（音響特性の改善）は、限定的となっている。
【００１０】
本発明は上記の事情にもとづきなされたもので、その目的とするところは、音響を重視するオーディオルームにおいて、音響特性の改善を図ることが可能な音質改善部材およびオーディオルームを提供しよう、とするものである。
【課題を解決するための手段】
【００１１】
上記課題を解決するために、本発明は、二方向または三方向が構造体を構成する構造面で囲まれる境界部分に設置され、これらの構造面に接触する位置決め部を具備すると共に、位置決め部が構造面に接触して位置決めが為されている状態で、二方向または三方向の構造面に対して、傾斜する部分が存在する傾斜面を有し、この傾斜面での音の反射または吸収により、構造体の内部における音響が改善されるものである。
【００１２】
また、他の発明は、上述の発明に加えて更に、位置決め部は、三方向における位置決めを行うものであり、該位置決め部は、構造体に面接触する接触面であり、これら三方向の接触面は立方体を構成すると共に、傾斜面は、この立方体のうち境界部分の交差点に位置する頂点の対角位置に位置する頂点を中心として、該立方体の一部を切り欠いた形状に形成されているものである。
【００１３】
さらに、他の発明は、上述の発明に加えて更に、傾斜面は、対角位置に位置する頂点を中心として、球面状に切り欠いた形状に形成されているものである。
【００１４】
また、他の発明は、上述の発明に加えて更に、傾斜面は、対角位置に位置する頂点を中心として、平面状に切り欠いた形状に形成されているものである。
【００１５】
さらに、他の発明は、上述の各発明に加えて更に、位置決め部は、二方向における位置決めを行うものであり、該位置決め部は、構造体に面接触する接触面であり、これら二方向の接触面は直方体を構成すると共に、傾斜面は、この直方体のうち境界部分の交差線に位置する側辺の対角位置に位置する側辺を中心として、該直方体の一部を切り欠いた形状に形成されているものである。
【００１６】
また、他の発明は、上述の各発明に加えて更に、傾斜面は、対角位置に位置する側辺を中心線として、円筒面状に切り欠いた形状に形成されているものである。
【００１７】
さらに、他の発明は、傾斜面は、平面状に切り欠いた形状に形成されているものである。
【００１８】
また、他の発明は、上述の各発明に加えて更に、圧縮可能な弾性部材によって形成されていると共に、圧縮時には接触面が構造面に対して圧力を及ぼし、この圧力が及ぼされている場合の弾性反発力により、境界部分に係止されるものである。
【００１９】
さらに、他の発明は、弾性部材は、気泡を多数有する発泡樹脂から形成されているものである。
【００２０】
また、他の発明は、上述の各発明に加えて更に、音の反射率が異なる一方の材質と他方の材質とによって形成されていると共に、傾斜面は、一方の材質または他方の材質のいずれかによって覆われているものである。
【００２１】
さらに、他の発明は、傾斜面には、植毛が為されているものである。
【００２２】
また、他の発明は、上述の各発明係る音響改善部材が、境界部分に配置されているオーディオルームである。
【発明の効果】
【００２３】
本発明によると、音響を重視するオーディオルームにおいて、音響特性の改善を図ることが可能となる。
【発明を実施するための最良の形態】
【００２４】
（第１の実施の形態）
以下、本発明の第１の実施の形態に係る音響改善部材としての立方部材２０と直方部材３０、および音響改善部材を具備するオーディオルーム１０（立方部材２０と直方部材３０が配置されるオーディオルーム１０）について、図１から図９に基づいて説明する。
【００２５】
なお、以下の説明においては、上側とは、後述する天井面１３側を指すものとすると共に、下側とは、後述する床面１２側を指すものとする。
【００２６】
図１〜図３に、本実施の形態に係る、音響改善部材としての立方部材２０を示す。これら図１〜図３に示す立方部材２０は、その材質を、発泡ウレタン、発泡スチロール等のような、発泡樹脂から構成されている。しかしながら、立方部材２０の材質は、これらには限られず、例えば木質系・繊維系の部材を材質としたり、金属を材質としても良い。また、発泡樹脂は、多数の気泡を有しているため、体積は大きいにも拘わらず、重量はさほど大きくはなっていない。
【００２７】
本実施の形態の立方部材２０は、その外観が、立方体Ｒの一部を切り欠いた形状に形成されている。すなわち、立方部材２０は、立方体Ｒ（図１参照）の１つの頂点Ｐを中心として、当該立方体Ｒを球面状に切り欠いた形状に設けられている。なお、立方部材２０のうち、球面状に切り欠かれることにより形成される曲面は、反射面２１となっており、この反射面２１の存在により、後述するように定在波を解消することが可能となっている。なお、反射面２１は、傾斜面に対応する。
【００２８】
ここで、本実施の形態では、球面状の一部となっている反射面２１の中心である頂点Ｐまでの距離（球面の半径に対応；図１参照）よりも、立方体Ｒの一辺の長さ寸法の方が、長くなるように設けられている。そのため、図１等に示すように、立方部材２０のうち、立方体Ｒの頂点Ｐを通る側辺には、反射面２１と交差する部位（交差部位２１ｚ）が存在する。そして、この交差部位２１ｚと、側辺の他の頂点との間には、側辺の残りの部分である、平坦部２２が設けられる。
【００２９】
なお、立方部材２０の寸法の例示としては、立方体Ｒの長さ寸法が４００ｍｍである場合、反射面２１から頂点Ｐまでの長さ寸法（球の半径）が３８８ｍｍとする場合があり、この半径の球面によって立方体Ｒを切り欠いた状態に、反射面２１が設けられる場合がある。この場合、平坦部２２の長さ寸法は、１２ｍｍとなる。また、本実施の形態では、上述のように、平坦部２２が存在する状態で、立方体Ｒを球面で切り欠いている。このため、８つの反射面２１が滑らかに連なる状態で、立方部材２０を連結すると、１つの球面を構成するように設けられている。
【００３０】
また、立方部材２０には、上述の反射面２１と交差しない、正方形の状態を維持している側面（以下、この面を正方面２０１とする。）が存在している。本実施の形態では、平坦部２２は、頂点Ｐを通る３つの側辺にそれぞれ存在している。そのため、立方部材２０には、反射面２１の交差と関係しない、正方面２０１が３つ存在している。なお、この正方面２０１は、壁面１１、床面１２、または天井面１３に接触する部分であり、位置決め部および接触面に対応する。
【００３１】
次に、音響改善部材としての直方部材３０について、図４〜図６に基づいて説明する。本実施の形態における直方部材３０も、上述の立方部材２０と同様に、その材質が発泡ウレタン、発泡スチロール等のような、発泡樹脂から構成されている。しかしながら、上述の立方部材２０と同様に、直方部材３０の材質は、これらには限られず、例えば木質系・繊維系の部材を材質としたり、金属を材質としても良い。
【００３２】
また、直方部材３０は、底面が正方形となる直方体Ｃの一部を切り欠いた形状に形成されている。すなわち、直方部材３０は、直方体Ｃの１つの頂点Ｑを通る線を中心軸線Ｌとして、当該直方体Ｃを円筒状に切り欠いた形状に設けられている。なお、この直方部材３０のうち、円筒面状に切り欠かれることにより形成される曲面は、反射面３１となっており、この反射面３１の存在により、後述するように定在波が解消可能となっている。なお、この反射面３１も、傾斜面に対応する。
【００３３】
ここで、本実施の形態では、反射面３１の中心軸線Ｌまでの距離（円筒面の半径に対応）よりも、直方体Ｃの底面の一辺の長さ寸法の方が、長くなるように設けられている。そのため、この直方部材３０においても、上述の立方部材２０と同様に、反射面３１と交差する部位（交差部位３１ｚ；４つ存在）が存在する。そして、この交差部位３１ｚと、側辺の他の頂点との間には、側辺の残りの部分である、平坦部３２が設けられる。
【００３４】
また、この直方部材３０には、反射面３１以外に、２つの直方面３０１が存在している。この直方面３０１は、上述の反射面３１と交差せずに、長方形状の状態を維持している側面である。本実施の形態では、この直方面３０１は、２つ存在している。なお、この直方面３０１は、位置決め部および接触面に対応する。
【００３５】
なお、この直方部材３０の寸法の一例としては、底面の側辺（交差部位３１ｚが存在しない側辺）の長さ寸法が４００ｍｍであると共に、直方面３０１の長手方向の側辺の長さ寸法を１０００ｍｍとする場合がある。ここで、直方部材３０の長手方向における長さ寸法は、例えばオーディオルーム１０の大きさ、設置しやすさ等に応じて、種々変更することが可能である。
【００３６】
また、この場合において、反射面３１から中心軸線Ｌまでの長さ寸法（円筒面の半径）が３８８ｍｍとする場合があり、この半径の円筒面によって直方体Ｃを切り欠いた状態に、反射面３１が設けられる場合がある。この場合、平坦部３２の長さ寸法は、１２ｍｍとなる。
【００３７】
以上のような立方部材２０、および直方部材３０を、部屋（オーディオルーム１０）に設置する場合について、以下に説明する。
【００３８】
図７〜図９に示すように、立方部材２０は、構造体としてのオーディオルーム１０の内部のうち、２つの壁面１１と、床面１２または天井面１３との交差部位（これらが交わる部位が交差点に対応）である、コーナ部分１４に配置される。この場合、立方部材２０のうち、正方面２０１が、それぞれ壁面１１、床面１２または天井面１３に、面接触する状態で配置される。なお、かかる３面が面接触する状態で、立方部材２０を配置すると、反射面２１がオーディオルーム１０の中央側を向く状態となる。ここで、壁面１１、床面１２および天井面１３は、それぞれ構造面に対応する。
【００３９】
また、オーディオルーム１０の内部には、直方部材３０も配置される。この直方部材３０は、上述のコーナ部分１４に連続する、隅部１５に配置される。なお、ここでいう隅部１５とは、壁面１１と床面１２とが例えば互いに略９０度を為して交差する境界部分（交差する境界線は交差線に対応）、または２つの壁面１１が交差する境界部分（交差する境界線は交差線に対応）、または壁面１１と天井面１３とが交差する境界部分（交差する境界線は交差線に対応）をいう。このとき、反射面２１が交差していない２つの直方面が、それぞれ上述の各面に対して面接触する状態で配置される。
【００４０】
ここで、立方部材２０および直方部材３０が、弾力性を有し、かつ軽量の材質（発泡ウレタン、発泡スチロール等）から構成されている場合、この立方部材２０および直方部材３０に押圧力を及ぼして圧縮し、配置される場所においてその圧縮状態を開放する。すると、圧縮状態の開放により、立方部材２０および直方部材３０は、圧縮された状態から戻ろうとする、いわゆるスプリングバック力（弾性反発力）を壁面１１等に及ぼす。この場合、立方部材２０および直方部材３０は、接着テープ等の接着手段を用いなくても、コーナ部分１４および隅部１５に保持させることが可能となっている。
【００４１】
すなわち、正方面２０１または直方面３０１と、壁面１１、床面１２、または天井面１３との間には、スプリングバック力によって、摩擦力が生じる。そして、この摩擦力が、立方部材２０および直方部材３０に生じる重力に抗することが可能である場合（摩擦力に比して、立方部材２０および直方部材３０が十分に軽量である場合）、当該立方部材２０および直方部材３０は、接着手段を用いなくても、設置箇所に保持可能となる。
【００４２】
なお、上述のスプリングバック力に関しては、立方部材２０と直方部材３０とが同一の圧縮率である場合には、直方部材３０の方が、接触面積が大きく、壁面１１等に対して安定的な状態で接触する。また、直方部材３０の方が、接触面積が大きくなることにより、スプリングバック力による摩擦力が強く作用する。このため、直方部材３０の方が、外部からの力に対して、抗する力を強くすることが可能となる。
【００４３】
ここで、上述のスプリングバック力を強くするためには、圧縮される部分の側辺同士が交差して為す角度が鈍角を為すように、立方部材２０および直方部材３０を構成しても良い。この場合、鈍角を為す側辺は、必ずしも直線状に設けられる必要はなく、弧状等、湾曲していても良い。
【００４４】
また、壁面１１、床面１２および天井面１３の材質、または立方部材２０および直方部材３０の材質によっては、十分なスプリングバック力が得られない場合がある。この場合には、立方部材２０および直方部材３０の両方を、例えば粘着テープ、面ファスナー等の接着手段、壁面１１等にネジ固定される専用の金具を用いるようにして、保持させるようにしても良い。
【００４５】
ここで、オーディオルーム１０に存在するコーナ部分１４および隅部１５には、立方部材２０および直方部材３０が、隙間を有する状態で配置されていても良い。この状態を図７に示す。しかしながら、音響効果をより高めるためには、オーディオルーム１０に存在するコーナ部分１４および隅部１５には、立方部材２０および直方部材３０が、隙間なく配置されるのが好ましい。この状態を図８に示す。
【００４６】
なお、コーナ部分１４および隅部１５のうち、特に床面１２と壁面１１とが境界を為す部分では、金属等のような重い材質の立方部材２０または直方部材３０であっても、容易に設置することが可能である。
【００４７】
このような構成の立方部材２０および直方部材３０、およびこれらを用いたオーディオルーム１０においては、オーディオルーム１０のコーナ部分１４に立方部材２０を配置することにより、この立方部材２０の反射面２１によって、コーナ部分１４や隅部１５に滞留しがちな定在波を、オーディオルーム１０の中央部側に向けて反射させることが可能となる。そのため、オーディオルーム１０のコーナ部分１４に、例えば定在波等のような人に対して不快感を与える音が残留するのを防ぐことが可能となる。それにより、音を聴取している人の心地良さを増大させることが可能となり、音響効果を高めることが可能となる。
【００４８】
特に、コーナ部分１４のような、最も複雑な反射音が構成される部位に、立方部材２０を配置することにより、音響効果を高めることが可能となっている。また、隅部１５にも直方部材が配置されることにより、音響効果を一層高めることが可能となっている。
【００４９】
また、本実施の形態では、反射面２１は、球面の一部を構成するように設けられている。そのため、例えば壁面１１と床面１２との間、壁面１１と天井面１３との間、または壁面１１同士の間の傾斜角度の変化が滑らかになり、音を滞留させずに良好に反射させることが可能となる。加えて、本実施の形態では、反射面３１は、円筒面の一部を構成するように設けられている。この場合も、例えば壁面１１と床面１２との間、壁面１１と天井面１３との間、または壁面１１同士の間の傾斜角度の変化が滑らかになり、音を滞留させずに良好に反射させることが可能となる。
【００５０】
また、立方部材２０および直方部材３０を設置することにより、従来よりもオーディオルーム１０の中心側に向けて音を多く反射させることが可能となり、それによって音響効果を高めることが可能となる。
【００５１】
また、本実施の形態では、立方部材２０および直方部材３０は、弾力性を有する弾性部材から構成されている。そのため、これら立方部材２０および直方部材３０を圧縮し、その圧縮状態を開放すれば、立方部材２０および直方部材３０は、いわゆるスプリングバック力を壁面１１等に及ぼす。それにより、立方部材２０および直方部材３０は、接着テープ等の接着手段を用いなくても、コーナ部分１４および隅部１５に保持させることが可能となる。また、接着テープ等の接着手段を用いる場合でも、上述のスプリングバック力を、接着の補助力として利用することが可能となる。それにより、立方部材２０および直方部材３０の保持状態（接着状態）を、長期に亘ってずれを防止しつつ良好に保つことが可能となる。
【００５２】
また、本実施の形態では、立方部材２０および直方部材３０は、例えば発泡スチロールや発泡ウレタンのような、気泡を多数有する発泡樹脂によって形成されている。そのため、これら立方部材２０および直方部材３０は軽量となり、立方部材２０および直方部材３０の保持状態（接着状態）を、一層長期に亘って良好に保つことが可能となる。また、立方部材２０および直方部材３０が軽量であるため、例えば粘着テープや面ファスナーのような接着手段を用いた場合でも、コーナ部分１４や隅部１５に、容易に固定させることが可能となる。また、コーナ部分１４や隅部１５に、専用の金具を用いて立方部材２０および直方部材３０を固定させる場合でも、当該金具を極めて小型のものにすることが可能となる。
【００５３】
（第２の実施の形態）
以下、本発明の第２の実施の形態について、図１０から図１７に基づいて説明する。なお、本実施の形態では、上述の第１の実施の形態で述べたのと同様の部材については、同一の符号を用いて説明する。
【００５４】
本実施の形態では、図１０〜図１２に示すような、音響改善部材としての立方部材２０Ａおよび直方部材３０Ａを用いている。これらのうち、立方部材２０Ａは、上述の立方部材２０とは異なる反射面２１Ａ（傾斜面に対応）を備えている。ここで、第１の実施の形態における反射面２１は、球面状に設けられているのに対して、本実施の形態の反射面２１Ａは、平面状に設けられている。また、本実施の形態においても、立方体Ｒの頂点Ｐを通る側辺には、反射面２１Ａと交差する部位（交差部位２１ｚ）が存在する。そのため、交差部位２１ｚと、側辺の他の頂点との間には、側辺の残りの部分である、平坦部２２が設けられる。
【００５５】
なお、平坦部２２が互いに接触する状態で、上述の立方部材２０Ａを多数連結すると、反射面２１Ａを各面とする立方体が形成される。
【００５６】
また、図１３〜図１５に示すように、本実施の形態の直方部材３０Ａも、上述の立方部材２０Ａと同様の、平面状の反射面３１Ａ（傾斜面に対応）を有している。この直方部材３０Ａは、底面が正方形となる直方体Ｃの１つの頂点Ｑを通る線を中心軸線Ｌとする、底面が正方形の四角柱によって切り欠いた形状に形成されている。なお、この場合、頂点Ｑを通る側辺は、四角柱の対角線に沿うように設けられている。
【００５７】
また、本実施の形態の直方体３０Ａにおいても、反射面３１Ａと交差する部位（交差部位３１ｚ）が存在する。そして、この交差部位３１ｚと、側辺の他の頂点との間には、側辺の残りの部分である、平坦部３２が設けられる。
【００５８】
また、上述の立方部材２０Ａおよび直方部材３０Ａを設置する手法は、上述の立方部材２０および直方部材３０を設置する場合と同様である。なお、図１６には、立方部材２０Ａおよび直方部材３０Ａが、隙間を有して配置されている状態を示す。また、図１７には、立方部材２０Ａおよび直方部材３０Ａが、互いに密着して配置されている状態を示す。
【００５９】
このような構成の立方部材２０Ａおよび直方部材３０Ａによっても、上述の立方部材２０および直方部材３０と同様に、反射面２１Ａ，３１Ａによって、コーナ部分１４や隅部１５に滞留しがちな定在波を、オーディオルーム１０の中央部側に向けて反射させることが可能となる。そのため、オーディオルーム１０のコーナ部分１４や隅部に、例えば定在波等のような人に対して不快感を与える音が残留するのを防ぐことが可能となる。それにより、音を聴取している人の心地良さを増大させることが可能となり、音響効果を高めることが可能となる。
【００６０】
また、本実施の形態では、反射面２１Ａ，３１Ａは、平面状に設けられている。そのため、立方部材２０Ａ、直方部材３０Ａは、上述の立方部材２０および直方部材３０と比較して、形成し易くなる。すなわち、例えば直方体を斜めに切断することにより、反射面２１Ａ，３１Ａを形成することが可能となり、反射面２１，３１のように、曲面状に形成されている場合と比較して、形成する手法が多くなり、形成が容易となる。
【００６１】
（第３の実施の形態）
以下、本発明の第３の実施の形態について、図１８および図１９に基づいて説明する。なお、本実施の形態では、上述の第１の実施の形態で述べたのと同様の部材については、同一の符号を用いて説明する。
【００６２】
なお、以下の説明においては、シート状部材４０を貼り付ける前の立方部材および直方部材（母材としての立方部材および直方部材）を、それぞれ立方部材２０Ｃおよび直方部材３０Ｃとする。また、以下の説明においては、シート状部材４０を貼り付ける前の立方部材２０Ｃおよび直方部材３０Ｃの反射面を、それぞれ反射面２１Ｃおよび反射面３１Ｃとする。
【００６３】
本実施の形態における、音響改善部材としての立方部材２０Ｂ（図１８参照）および直方部材３０Ｂ（図１９参照）においては、反射面２１Ｂ，３１Ｂの構成が、上述の第１の実施の形態で述べたものとは相違している。すなわち、上述の第１の実施の形態においては、立方部材２０は、例えば発泡ウレタン、発泡スチロール等の如き発泡樹脂のような、単一の材質から構成されている。
【００６４】
しかしながら、本実施の形態における立方部材２０においては、母材としての立方部材２０Ｃの反射面２１Ｃにシート状部材４０を貼り付けることによって、反射面２１Ｂを形成している。また、母材としての直方部材３０Ｃの反射面３１Ｃにシート状部材４０を貼り付けることによって、反射面３１Ｂを形成している。
【００６５】
ここで、シート状部材４０は、例えばシート状に形成されている木質系・繊維系の部材（例えば、突板と称されている木材（厚さの寸法例：０．５ｍｍ）、紙等）、シート状に形成されているアルミニウム等の金属箔（金属板；アルミニウム板の寸法例：０．３ｍｍ）、各種の樹脂シート等を用いることが可能である。また、立方部材２０Ｃおよび直方部材３０Ｃは、上述の第１の実施の形態における立方部材２０、直方部材３０等と同様に、その材質を、発泡ウレタン、発泡スチロール等のような、発泡樹脂から構成されている。しかしながら、立方部材２０Ｃおよび直方部材３０Ｃの材質は、これらには限られず、例えば木質系・繊維系の部材を材質としたり、金属を材質としても良い。
【００６６】
なお、シート状部材４０を貼付する前の反射面２１Ｃ，３１Ｃと、シート状部材４０を貼付した後の反射面２１Ｂ，３１Ｂとでは、音に対する表面反射率が異なっている。
【００６７】
ここで、立方部材２０Ｂおよび直方部材３０Ｂにおいては、貼付するシート状部材４０を、所定の表面反射率を有する材質に適宜変更することが可能である。例えば、壁面１１と床面１２との間のコーナ部分１４においては、表面反射率ｘのシート状部材４０が貼付された立方部材２０Ｂを設置すると共に、壁面１１と天井面１３との間の隅部１５においては、表面反射率ｙのシート状部材４０が貼付された直方部材３０Ｂを設置する等の場合が挙げられる。このように、オーディオルーム１０の内部では、種々のシート状部材４０を貼付することにより、場所ごとに、表面反射率を変更された立方部材２０Ｂおよび直方部材３０Ｂを設置可能である。
【００６８】
このような構成の立方部材２０Ｂおよび直方部材３０Ｂによっても、上述の立方部材２０，２０Ａおよび直方部材３０，３０Ａと同様に、反射面２１Ｂ，３１Ｂによって、コーナ部分１４や隅部１５に滞留しがちな定在波を、オーディオルーム１０の中央部側に向けて反射させることが可能となる。そのため、オーディオルーム１０のコーナ部分１４や隅部１５に、例えば定在波等のような人に対して不快感を与える音が残留するのを防ぐことが可能となる。それにより、音を聴取している人の心地良さを増大させることが可能となり、音響効果を高めることが可能となる。
【００６９】
加えて、本実施の形態では、オーディオルーム１０の内部において、場所に応じて適切な表面反射率を有するシート状部材４０が貼付された立方部材２０Ｂおよび直方部材３０Ｂを設置することが可能となる。そのため、上述の第１の実施の形態および第２の実施の形態の構成と比較して、立方部材２０Ｂおよび直方部材３０Ｂにおいては、表面反射率がただ１つに限定されなくなり、オーディオルーム１０の各部位において、自由に設定することが可能となる。
【００７０】
それにより、オーディオルーム１０における表面反射率を、自由に、きめ細かに設定することが可能となる。それにより、リスナーが所望する音響効果を実現することが可能となり、リスナーの心地よさを高めることが可能となり、リスナーは高い満足感を得ることが可能となる。
【００７１】
以上、本発明の第１〜第３の実施の形態について説明したが、本発明はこれ以外にも種々変形可能となっている。以下、それについて述べる。
【００７２】
上述の第１の実施の形態では、反射面２１は、球面の一部を為すように設けられると共に、反射面３１は、円筒面の一部を為すように設けられている。また、上述の第２の実施の形態では、反射面２１Ａおよび反射面３１Ａは、平面状に設けられている。しかしながら、反射面は、球面の一部、円筒面の一部、平面状に設けられる場合には限られず、種々の自由曲面とすることが可能である。
【００７３】
また、上述の第１の実施の形態における反射面２１，３１は、曲面状かつ凹面状に形成されている。しかしながら、反射面２１，３１は、例えば多面体状のように、曲面状以外の凹面状に形成されるように構成しても良い。
【００７４】
また、上述の実施の形態では、構造体としては、オーディオルーム１０に関して説明している。しかしながら、構造体は、オーディオルーム１０には限られない。オーディオルーム１０以外の構造体としては、自動車、航空機、船舶等のような、内部空間に人が滞在することが可能なものが挙げられる。
【００７５】
さらに、上述の各実施の形態では、平坦部２２，３２が存在する立方部材２０，２０Ａ，２０Ｂおよび直方部材３０，３０Ａ，３０Ｂについて説明している。しかしながら、立方部材２０，２０Ａ，２０Ｂおよび直方部材３０，３０Ａ，３０Ｂには、平坦部２２が設けられていなくても良い。特に、直方部材３０Ａにおいては、平坦部２２が存在しない場合には、直方体Ｃを、長手方向に沿う側辺を通ると共に、対角線方向に向かう平面で切断すると、当該直方体Ｃから２つの直方部材３０Ａを形成することが可能となる。
【００７６】
また、上述の第３の実施の形態では、反射面２１Ｃ，３１Ｃには、シート状部材４０が貼り付けられている。しかしながら、反射面２１Ｃおよび反射面３１Ｃには、シート状部材４０以外のものが取り付けられていても良い。例えば、反射面２１Ｃおよび反射面３１Ｃには、植毛を施すように構成しても良く、その他、反射面２１Ｃおよび反射面３１Ｃに、塗装を施すようにしても良い。反射面２１Ｃおよび反射面３１Ｃに、植毛を施す場合、当該反射面２１Ｃおよび反射面３１Ｃに、直接植毛を施すようにしても良く、その他、既に植毛が施されているシート状部材を、反射面２１Ｃおよび反射面３１Ｃに接着するようにしても良い。
【００７７】
なお、反射面２１Ｃおよび反射面３１Ｃに、塗装を施す場合、塗料を適宜に選択したり、当該塗料に例えばセラミックス粉末等のような硬質な材料を適宜の量だけ混入する等の手法を用いるようにしても良い。このようにすれば、混入する材料の量を変更すると、表面反射率を適宜かつ自由に変更（調整）することが可能となる。
【００７８】
また、上記のように、セラミックス粉末等を代表とする硬質な材料は、表面反射率を、母材たる立方部材２０Ｃおよび直方部材３０Ｃのみから構成される場合よりも、上昇させる効果がある。しかしながら、例えば連続発泡のウレタン等のような、母材よりも柔軟な材料を、反射面２１Ｃおよび反射面３１Ｃに塗布する場合には、表面反射率を、母材たる立方部材２０Ｃおよび直方部材３０Ｃよりも低くすることが可能となる。このような柔軟な材料を、反射面２１Ｃおよび反射面３１Ｃに塗布する場合、表面反射率が低いことにより、反射面２１Ｃおよび反射面３１Ｃでは、定在波を反射させる効果よりも、減衰させる効果が高くなる。
【００７９】
また、上記のように、反射面２１Ｃおよび反射面３１Ｃに、植毛を施す場合にも、母材たる立方部材２０Ｃおよび直方部材３０Ｃよりも、表面反射率を低くすることが可能となる。
【００８０】
また、上述の塗料には、ガラスビーズ、ブラスト材といった種々の材料を、適宜の量だけ混入させた後に、反射面２１Ｃおよび反射面３１Ｃに塗布するようにしても良い。
【産業上の利用可能性】
【００８１】
本発明は、音響関連の分野において利用することが可能である。
【図面の簡単な説明】
【００８２】
【図１】本発明の第１の実施の形態に係る立方部材の構成を示す斜視図である。
【図２】図１の立方部材の構成を示す平面図である。
【図３】図１の立方部材の構成を示す側面図である。
【図４】本発明の第１の実施の形態に係る直方部材の構成を示す斜視図である。
【図５】図４の直方部材の構成を示す正面図である。
【図６】図４の直方部材の構成を示す側面図である。
【図７】図１の立方部材および図４の直方部材を配置する状態を示し、立方部材と直方部材とが互いに隙間を有する状態で配置されている状態を示す斜視図である。
【図８】図１の立方部材および図４の直方部材を配置する状態を示し、立方部材と直方部材とが互いに密着する状態で配置されている状態を示す斜視図である。
【図９】図１の立方部材および図４の直方部材が境界部分に隙間なく配置されている状態を示すと共に内部を透視して示すオーディオルームの斜視図である。
【図１０】本発明の第２の実施の形態に係る立方部材の構成を示す斜視図である。
【図１１】図１０の立方部材の構成を示す平面図である。
【図１２】図１０の立方部材の構成を示す側面図である。
【図１３】本発明の第１の実施の形態に係る直方部材の構成を示す斜視図である。
【図１４】図１３の直方部材の構成を示す正面図である。
【図１５】図１３の直方部材の構成を示す側面図である。
【図１６】図１０の立方部材および図１３の直方部材を配置する状態を示し、立方部材と直方部材とが互いに隙間を有する状態で配置されている状態を示す斜視図である。
【図１７】図１０の立方部材および図１３の直方部材を配置する状態を示し、立方部材と直方部材とが互いに密着する状態で配置されている状態を示す斜視図である。
【図１８】本発明の第３の実施の形態に係る立方部材を形成する過程を示す斜視図である。
【図１９】本発明の第３の実施の形態に係る直方部材を形成する過程を示す斜視図である。
【符号の説明】
【００８３】
１０…オーディオルーム（構造体に対応）
１１…壁面（構造面に対応）
１２…床面（構造面に対応）
１３…天井面（構造面に対応）
１４…コーナ部分（境界部分に対応）
１５…隅部（境界部分に対応）
２０，２０Ａ，２０Ｂ，２０Ｃ…立方部材
２１，２１Ａ，２１Ｂ，２１Ｃ…反射面（傾斜面に対応）
２２…平坦部
３０，３０Ａ，３０Ｂ，３０Ｃ…直方部材
３１，３１Ａ，３１Ｂ，３１Ｃ…反射面（傾斜面に対応）
３２…平坦部
４０…シート状部材
２０１…正方面（位置決め部および接触面に対応）
３０１…直方面（位置決め部および接触面に対応）
【図１】
2007286387.tif 000003
【図２】
2007286387.tif 000004
【図３】
2007286387.tif 000005
【図４】
2007286387.tif 000006
【図５】
2007286387.tif 000007
【図６】
2007286387.tif 000008
【図７】
2007286387.tif 000009
【図８】
2007286387.tif 000010
【図９】
2007286387.tif 000011
【図１０】
2007286387.tif 000012
【図１１】
2007286387.tif 000013
【図１２】
2007286387.tif 000014
【図１３】
2007286387.tif 000015
【図１４】
2007286387.tif 000016
【図１５】
2007286387.tif 000017
【図１６】
2007286387.tif 000018
【図１７】
2007286387.tif 000019
【図１８】
2007286387.tif 000020
【図１９】
2007286387.tif 000021